(57)【要約】【課題】ページ捲りに要する時間を短縮化とジャムの発生を抑える。【解決手段】挿入口から挿入された第１の印字媒体を、印字位置を介して下流方向に搬送するとともに、逆向きに搬送して前記挿入口から排出させる第１の搬送路と、前記印字位置に送られた前記第１の印字媒体へ印字を行う第１の印字部と、前記挿入口から見て前記第１の印字部の下流側に配置された、前記第１の印字媒体のページ捲り機能を有するページ捲り機構部と、このページ捲り機構部に対し、下流側に配置された、印字方式が前記第１の印字部と異なる第２の印字部と、この第２の印字部で印字された第２の印字媒体を、前記第１の搬送路により前記挿入口から排出させるために、この第１の搬送路の前記第１の印字部より下流側に合流させる第２の搬送路と、を備え、前記ページ捲り機構部は、前記第１および前記第２の搬送路が合流する合流部より上流側と前記第１の印字部間に設置した。【選択図】図１
2015066945.tif 000002
【特許請求の範囲】
【請求項１】
挿入口と、
前記挿入口から挿入された第１の印字媒体を所定の印字位置を介して下流方向に搬送するとともに、前記第１の印字媒体を前記下流方向とは逆向きに搬送して前記挿入口から排出させる第１の搬送路と、
前記印字位置に送られてきた前記第１の印字媒体へ印字を行う第１の印字部と、
前記挿入口から見て前記第１の印字部の下流側に配置された、前記第１の印字媒体のページ捲り機能を有するページ捲り機構部と、
このページ捲り機構部に対し、前記挿入口から見てさらに下流側に配置された、印字方式が前記第１の印字部と異なる第２の印字部と、
この第２の印字部で印字された第２の印字媒体を、前記第１の搬送路により前記挿入口から排出させるために、この第１の搬送路の前記第１の印字部より下流側に合流させる第２の搬送路と、を備え、
前記ページ捲り機構部は、前記第１および前記第２の搬送路が合流する合流部より上流側と前記第１の印字部との間に設置した、印字装置。
【請求項２】
前記第１の印字部はシリアル印字方式であり、前記第２の印字部はライン印字方式である、請求項１に記載の印字装置。
【請求項３】
前記第１の印字部はドット印字部であり、前記第２の印字部はサーマル印字部である、請求項１に記載の印字装置。
【請求項４】
前記ページ捲り機構部は、前記第１および前記第２の印字部と共用の前記第１の搬送路中に配置した、請求項１項に記載の印字装置。
【請求項５】
前記ページ捲り機構部は、前記第１の印字部直後の下流側の前記第１の搬送路中に配置した、請求項１項に記載の印字装置。
【発明の詳細な説明】
【技術分野】
【０００１】
この発明の実施形態は、印字方式の異なる印字部を有する印字装置に関する。
【背景技術】
【０００２】
従来、装置本体の挿入口のある上流側に通帳印字用のドット印字部を、下流側に帳票印字用のサーマル印字部を配置している。これらプリンによって印字された通帳および帳票用紙は、装置本体手前の挿入口から、共通の搬送路を経由して排出させるようにしている。
【０００３】
しかしながら、通帳のページ捲りは、装置本体のドット印字部とサーマル印字部の共通の搬送路に合流する合流部よりも下流側に配置されている。このため、通帳の印字（記帳）を行う一連の動作の中で、通帳のページを捲る必要があった場合は、合流部を介してページ捲り機構でページを捲り、再びドット印字部側に逆搬送させて印字する必要がある。この場合、通帳にページ捲りをして印字を行うには、合流部を経由しページ捲りをし、再び合流部を経由してドット印字部に戻す必要があり、ページ捲りに時間を要してしまう、課題があった。
【０００４】
また、合流部には、ドット印字部側とサーマル印字部側を切り換えるフラッパー等のジャム要因となる部品等があることから、ページ捲り作業時にジャムを起こす可能性を増やしてしまう、課題があった。
【先行技術文献】
【特許文献】
【０００５】
【特許文献１】特開２０１０−２１４６１６号公報
【発明の概要】
【発明が解決しようとする課題】
【０００６】
この発明が解決しようとする課題は、ページ捲りに要する時間の短縮化を図るとともに、ジャムの発生を抑えることのできる印字装置を提供することである。
【課題を解決するための手段】
【０００７】
実施形態の印字装置は、挿入口と、前記挿入口から挿入された第１の印字媒体を所定の印字位置を介して下流方向に搬送するとともに、前記第１の印字媒体を前記下流方向とは逆向きに搬送して前記挿入口から排出させる第１の搬送路と、前記印字位置に送られてきた前記第１の印字媒体へ印字を行う第１の印字部と、前記挿入口から見て前記第１の印字部の下流側に配置された、前記第１の印字媒体のページ捲り機能を有するページ捲り機構部と、このページ捲り機構部に対し、前記挿入口から見てさらに下流側に配置された、印字方式が前記第１の印字部と異なる第２の印字部と、この第２の印字部で印字された第２の印字媒体を、前記第１の搬送路により前記挿入口から排出させるために、この第１の搬送路の前記第１の印字部より下流側に合流させる第２の搬送路と、を備え、前記ページ捲り機構部は、前記第１および前記第２の搬送路が合流する合流部より上流側と前記第１の印字部との間に設置した。
【図面の簡単な説明】
【０００８】
【図１】印字装置にかかる一実施形態の内部構成を示す図である。
【図２】図１のページ捲り機構部の構成例について説明するための図である。
【図３Ａ】ページ捲り動作について説明するための図である。
【図３Ｂ】ページ捲り動作について説明するための図である。
【図３Ｃ】ページ捲り動作について説明するための図である。
【図４】図１の合流部の構成例について説明するための図である。
【発明を実施するための形態】
【０００９】
以下、実施形態について、図面を参照しながら詳細に説明する。
【００１０】
図１は、印字装置にかかる一実施形態の内部構成を示す図である。この実施形態は、印字装置として印字方式の異なるドット印字部１１とサーマル印字部１２を備えたプリンタ１００を例に挙げている。
【００１１】
図１において、プリンタ１００の図示左端部には、第１の印字媒体として例えば通帳１３の挿入口１４が設けられている。また、プリンタ１００の図示中央部左寄りの位置には、挿入された通帳１３に対して印字を行う第１の印字部として、例えばドット印字部１１が設けられている。ドット印字部１１は、印字方向に沿って移動するシリアルヘッドを有する。なお、ドット印字部１１による印字が終了した通帳１３は、プリンタ１００内において後述するようにバックフィードされ、挿入口１４から排出される。
【００１２】
プリンタ１００の挿入口１４から見て、ドット印字部１１の下流側には、通帳１３のページを捲るページ捲り機構部１５が設置されている。このページ捲り機構部１５は、ドット印字部１１による印字が印字ページの最終行を越える場合、通帳１３のページを捲って次ページへの印字を行わせるものである。
【００１３】
プリンタ１００の図示右寄りの位置には、第２の印字媒体として例えば計算書などの帳票からなる用紙１６を印字する第２の印字部として例えばサーマル印字部１２が設置されている。サーマル印字部１２は、静止型のラインヘッドを有する。サーマル印字部１２は、プリンタ１００の用紙供給部１７から供給される例えば帳票用紙１６に対して所定の印字を行い、計算書などの帳票を作成する。
【００１４】
用紙供給部１７は、ロール状に巻回された帳票用紙１６が収容されている。サーマル印字部１２は、用紙供給部１７から用紙１６を取り入れ、所定の印字を施して図示左側へ搬送する。印字された帳票用紙１６は、プリンタ１００内の後述する搬送路を経て、図示左端の挿入口１４から排出する。
【００１５】
プリンタ１００内には、挿入口１４から図示右方に向って、第１の搬送路１８が直線状に構成されている。ドット印字部１１は、この第１の搬送路１８の途中部分に設けられている。この第１の搬送路１８は、挿入口１４から挿入された通帳１３を、ドット印字部１１による所定の印字位置へ向けて搬送する。また、ドット印字部１１による印字後は、通帳１３を前記下流方向とは逆向きに搬送（バックフィード）して挿入口１４から排出する。
【００１６】
第１の搬送路１８は、具体的には、上下一対の駆動ローラ１９およびピンチローラ２０を、搬送方向に沿って所定の間隔で複数対配置したものである。また、この第１の搬送路１８の、挿入ロ１４の近くの位置には、シャッター２１が開閉可能に設けられている。シャッター２１は、通常時は通帳１３がプリンタ１００の内部まで進入できないように閉じられている。シャッター２１の手前には、図示しないが、挿入口１４から差し込まれた通帳１３の用紙幅を検知する用紙幅検知センサー、および通帳１３が挿入されたことを検知する用紙挿入センサーが設けられている。
【００１７】
また、第１の搬送路１８の、シャッター２１の上流および下流側に配置された駆動ローラ１９およびピンチローラ２０は、最小用紙長の通帳１３を２組の対によってピンチできる間隔で配置されている。第１の搬送路１８の、シャッター２１より下流側の部分は、ドット印字部１１に対して通帳１３を整列させるアライメント領域となっている。
【００１８】
アライメント領域には、通帳１３の用紙長を検知するセンサーや、通帳１３を第１の搬送路１８の図示しない一側部に形成されたアライメント部に向けて搬送方向と直交する方向に移動させる、図示しない駆動ローラとピンチローラが設けられている。この駆動ローラとピンチローラを以下では、単にアライメントローラとして説明する。
【００１９】
ここで、ドット印字部１１は、第１の搬送路１８の上下に配置されたドットヘッド１１ａとプラテン１１ｂとをから構成されている。プラテン１１ｂは、第１の搬送路１８上で、その搬送方向を横断する、通帳１３面と直交する方向に設置されている。ドットヘッド１１ａは、このプラテン１１ｂの上方に、その長さ方向に沿って、すなわち、第１の搬送路１８の搬送方向を横断する方向に往復移動する。そして、ドットヘッド１１ａは、プラテン１１ｂ上に位置する通帳１３の印字ページに対して、印字を行う。
【００２０】
ドットヘッド１１ａによる印刷幅は、印字対象通帳１３の最大幅に設定されている。印字開始地点は、通帳１３の大きさにより異なるが、一定地点に合わせる必要がある。アライメント領域では、通帳１３をアライメントローラにより、搬送方向と直交する方向に移動させ、通帳１３の側辺部を、搬送方向の一側部に形成されたアライメント部に当接させ、整列を行う。通帳１３の側辺部は、ドットヘッド１１ａによる印字ページへの印字開始地点との位置合わせを行っている。
【００２１】
ページ捲り機構部１５では、図示しない通帳１３の行検知機構により、ドット印字部１１によって印字されている通帳１３の印字ページが最終行を越える場合、通帳１３のページを捲って次ページへの印字が行われる。
【００２２】
ここで、図２を参照してページ捲り機構部１５の一例について説明する。図２は、ページ捲り機構部１５の概略的な構成を示す。
【００２３】
ページ捲り機構部１５は、第１の搬送路１８を構成するペーパガイド１８１および１８２、駆動ローラ１９およびピンチローラ２０、案内板２２、ページ替えローラ２３、予捲りローラ２４から構成されている。
【００２４】
通帳１３は、ページが上方に開かれた状態で第１の搬送路１８を形成するペーパガイド１８１および１８２で案内する。通帳１３は、第１の搬送路１８中を、駆動ローラ１９およびピンチローラ２０により回転的に挟持しながら搬送する。
【００２５】
案内板２２は、通帳１３のページ捲りの際に、第１の搬送路１８に対して立ち上がる方向に回動可能に支持されている。案内板２２は、回動させることによりページ捲り可能な空間を形成する。
【００２６】
ページ替えローラ２３は、シャフト２３１を回転中心として通帳１３のページに回転させながら接してページ替えを行う。ページ替えローラ２３は、シャフト２３１に回転可能に嵌合されている。ページ替えローラ２３は、円弧状に開口された溝２３２を持つ回動部２３３および図２に示す状態で上部に取り付けられた高摩擦部２３４とから構成されている。ページ替えローラ２３は、シャフト２３１を回転中心として回転可能に構成されている。
【００２７】
予捲りローラ２４は、ページ替えローラ２３と同軸のシャフト２３１に取り付けられ、正逆方向に回転可能に取着されている。予捲りローラ２４は、ページ替えローラ３２の溝２３２に、ピン２４１が嵌合されている。予捲りローラ２４は、溝２３２に円弧角の範囲で正逆方向に回動可能な回動部２４２と、この回動部２４２が図２の状態で上部に取り付けられた高摩擦部２４３とから構成されている。なお、高摩擦部２３４および２４３は、例えば可撓性があり且つ表面が粗いゴム材等が好ましい。
【００２８】
このように構成されたページ捲り機構部１５の動作について、図３Ａ〜Ｃを参照して説明する。図３Ａ〜Ｃでは、通帳１３がページ替えローラ２３および予捲りローラ２４を境にして図面右側に位置し、左側のページを捲る場合の動作例を示す。
【００２９】
まず、図３Ａは、予捲りローラ２４がシャフト２３１の反時計方向回転により通帳１３の左側のページ１３ａに接するまで回転した状態を示す。この状態で予捲りローラ２４が捲ろうとするページ１３ａを、予め少し捲り上げる動作を開始する。この捲り上げによってページ１３ａと次のページをずらした状態で、予捲りローラ２４のピン２４１がページ替えローラ２３の溝２３２の端部に達する。これにより、ページ替えローラ２３は、反時計回りの回転を開始し、図３Ｂに示すようにページ１３ａを湾曲して持ち上げる。このとき、案内板２２は、ページ１３ａの湾曲により案内板２２の軸を中心として持ち上げられた状態となる。
【００３０】
さらに、ページ替えローラ２３が回転するとページ１３ａは、その弾性力によって立ち上がる。この状態の通帳１３を、駆動ローラ１９およびピンチローラ２０の回転により図面左方向に搬送する。ページ１３ａが綴じ目１３ｂに対して右側へ倒れてページ替えが行われる。
【００３１】
次のページ替えは、ローラ予捲りローラ２４および５等の回転により通帳１３を図３Ａの位置に戻すと共にページ替えローラ２３および予捲りローラ２４を直立した状態で、前述と同様に予捲りローラ２４がシャフト２３１の反時計方向回転により左側のページ１３ａを予め少し捲り上げる動作からページ替えを行う。
【００３２】
また、逆のページ替えは、通帳１３を図３Ｃの位置、且つページ替えローラ２３および予捲りローラ２４を直立した状態からシャフト２３１が時計回り方向の回転を行い、予捲りローラ２４が捲るべきページの予捲りを行うのに続いてページ替えローラ２３が先と逆方向にページ替えを行う様に動作することによって行われる。
【００３３】
このように、ページ捲り機構部１５は、予捲りローラ２４が時計および反時計方向の回転をページ替えローラ２３の回転に先立って行い、捲ろうとするページを予め捲り上げた状態でページ替えローラ２３によるページ捲りを行うため、通帳１３の正逆方向のページ捲りを確実に行うことができる。
【００３４】
図１において、第２の印字部として用いられるサーマル印字部１２は、挿入口１４から見てページ捲り機構部１５の、さらに下流側に配置されている。サーマル印字部１２は、用紙供給部１７からの帳票用紙１６を取り入れ、所定の印字を施して図示左側へ搬送する。
【００３５】
サーマル印字部１２で印字された帳票用紙１６は、第２の搬送路２５により、合流部２６まで搬送する。第２の搬送路２５には、上下一対の駆動ローラ１９およびピンチローラ２０を有し、サーマル印字部１２により印字された用紙を図示左斜め下方に搬送する。合流部２６に搬送された帳票用紙１６は、合流部２６において第１の搬送路１８に合流させ、挿入口１４から排出する。
【００３６】
ページ捲り機構部１５は、図２の構成に限定されるものではない。例えば、特開２００１−２１３０６７公報や特開２００３−２５６５１公報等に開示されたページ捲り機構でもあっても構わない。
【００３７】
ここで、図４を参照し、第１の搬送路１８と第２の搬送路２５との合流部２６の構成例について説明する。
【００３８】
合流部２６には、フラッパー４１が切り換え可能に設けられている。フラッパー４１は、支軸４２を中点として回動可能に支持されている。フラッパー４１を反時計回りに回動した状態では、サーマル印字部１２で印字された用紙を第２の搬送路２５から第１の搬送路１８上へ導く合流路が形成される。
【００３９】
これに対し、フラッパー４１を時計回りに回動した状態では、第１の搬送１８と回収箱２７とを結ぶ回収路２８が形成される（図１参照）。
【００４０】
この回収路２８は、挿入口１４に取り忘れられた通帳１３や帳票用紙１６を回収するためのものである。第１の搬送路１８から回収路２８に搬送されてきた通帳１３または帳票用紙１６は、回収箱２７に案内する。すなわち、フラッパー４１は、第１の搬送路１８と第２の搬送路２５との合流部２６に設けられ、上述した合流路２６または回収路２８を形成すべく切り換え操作する。
【００４１】
上記の構成において、通帳１３が挿入ロ１４に入れられると、まず図示しない用紙幅検知センサーにて正しい通帳１３か判断される。その結果、正しい通帳１３と認識され、かつ図示しない用紙挿入センサーが用紙を感知した場合のみ、シャッター２１がオープンになり、駆動ローラ１９とピンチローラ２０とで用紙の搬送を始める。
【００４２】
通帳１３がアライメント位置に達すると、用紙長センサーにより通帳１３の長さを検知し、図示しないアライメントローラに対して、用紙長毎に決められた位置に通帳１３を停止する。そして、通帳１３は、アライメントローラにより搬送方向と直交する方向に移動し、通帳１３の一側をアライメント部に当接し、整列させる。すなわち、ドットヘッド１１ａによる印字開始位置に通帳１３の印字ページの位置合わせを行う。
【００４３】
通帳１３が正しく整列されると、図示しない通帳１３の行検知機構により印字位置を検知し、プラテン１１ｂ上に通帳１３の印字部分を搬送し、ドットヘッド１１ａを作動させて印字を行う。
【００４４】
通帳１３に対する印字が完了すると、第１の搬送路１８により通帳１３をバックフィードし、挿入ロ１４から排出する。この通帳１３を、利用者が取り忘れた場合は、一定時間経過後、第１の搬送路１８により再び下流方向に搬送する。このときフラッパー４１は、支軸４２を中点に時計回りに回動させておく。これにより、第１の搬送路１８により下流方向に搬送されてきた通帳１３は、フラッパー４１により回収路２８が形成されている合流部２６を経て回収箱２７に回収する。
【００４５】
計算書などの帳票用紙１６に印字を行う場合は、用紙供給部１７からサーマル印字部１２に用紙を供給する。帳票用紙１６は、サーマル印字部１２にて印字後、図示しないロータリーカッターを用いて切断し、第２の搬送路２５によって帳票用紙１６を図示左斜め下方へ搬送する。このとき合流部２６のフラッパー４１は、支軸４２を中点に反時計回りに回動させておき、第２の搬送路２５から第１の搬送路１８上に通じる合流路を形成しておく。
【００４６】
印字済の帳票用紙１６は、フラッパー４１によって合流路が形成されている合流部２６を経て第１の搬送路１８上に合流する。第１の搬送路１８は合流された帳票用紙１６をバックフィードし、プリンタ１００の挿入ロ１４から帳票用紙１６を排出する。
【００４７】
排出された帳票用紙１６を利用者が取り忘れた場合は、通帳１３と同様に、一定時間経過後、第１の搬送路１８により再び下流方向に搬送し、フラッパー４１が回収路２８を形成している合流部２６を経て回収箱２７に回収する。
【００４８】
このように、上流側に通帳１３の印字用ドット印字部１１を、下流側に帳票印字用の第２の印字部１４を配置している。これらによって印字された通帳１３および帳票用紙１６は、プリンタ１００の手前側に設けられた挿入口１４から、共通に排出させることができる。
【００４９】
また、ページ捲り機構部１５は、第１の搬送路１８中に設置するとともに、合流部２６の上流側に配置した。これにより、ある程度の厚さを有し、折れ曲がり難い通帳１３は、合流部２６を経ずにページ捲りを行うことができる。このため、フラッパー４１等によりジャムの可能性が他の搬送路中よりも高い合流部２６を経ることなく、ページ捲りが完了していることから、通帳１３のジャムの発生の防止が可能となる。
【００５０】
さらに、合流部２６を経た後にページ捲り機構部１５が設置された場合は、ページ捲りが必要な通帳１３がページ捲り機構部１５に到達するまでの時間を要することになる。しかし、ページ捲り機構部１５は、合流部２６より上流側で、かつドット印字部１１の直後に設置されている。このため、ページ捲り機構部１５でページ捲りされた通帳１３を、上流側に搬送し、再びドット印字部１１で通帳１３に印字するまでに要する時間の短縮化を図ることができる。
【００５１】
なお、ページ捲り機構部１５は、ドット印字部１１に可及的に近い位置にある方が好ましい。近ければ近いほどページ捲りの要する時間を短くすることが可能となる。
【００５２】
この実施形態によれば、ドット印字部１１とサーマル印字部１２の共通の第１の搬送路１８内の合流部２６より上流側にページ捲り機構部１５を設置可能とした。これにより、ページ捲り機構部１５でページ捲りする時間、並びにページ捲り後に再びドット印字部１１により印字する時間の短縮化を図ることが可能となる。
【００５３】
また、ジャムの発生の要因として考えられる合流部２６を経ずに通帳１３のページ捲りを行っている。このため、通帳１３のページ捲り後に再び印字工程におけるジャムの発生をより抑えることが可能となる。
【００５４】
なお、上記の実施形態では、ページ捲りを行う対象を。通帳を例として説明したが、これに限られるものではなく、他の冊子類にも適用することができる。また、第１の印字部としてドット印字部を例とし、第２の印字部としてサーマル印字部を例としたが、それぞれ他の印字方式であっても構わない。
【００５５】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００５６】
１００  プリンタ
１１  ドット印字部
１２  サーマル印字部
１３  通帳
１４  挿入口
１５  ページ捲り機構部
１６  帳票用紙
１７  用紙供給部
１８  第１の搬送路
１９  駆動ローラ
２０  ピンチローラ
２５  第２の搬送路
２６  合流部
２７  回収箱
２８  回収路
４１  フラッパー
【図１】
2015066945.tif 000003
【図２】
2015066945.tif 000004
【図３Ａ】
2015066945.tif 000005
【図３Ｂ】
2015066945.tif 000006
【図３Ｃ】
2015066945.tif 000007
【図４】
2015066945.tif 000008